【手続補正書】
【提出日】平成30年3月12日(2018.3.12)
【手続補正１】
【補正対象書類名】特許請求の範囲
【補正対象項目名】全文
【補正方法】変更
【補正の内容】
【特許請求の範囲】
【請求項１】
所定間隔を隔てて配設される一側部材および他側部材と、それら一側部材および他側部材の間に架設され前記一側部材および他側部材に一端側および他端側がそれぞれ案内されて変位される変位部材と、その変位部材に駆動力を付与する駆動手段と、を備えた遊技機において、
前記変位部材は、前記一端側および他端側の間の少なくとも１か所で分割される複数の分割体と、それら複数の分割体のうちの１の分割体に配設され、前記１の分割体に対して相対変位可能に形成される第２変位部材と、前記複数の分割体同士を相対変位可能に連結する連結機構と、を備え、
前記複数の分割体同士が相対変位可能な第１状態と、前記１の分割体の前記一側部材または他側部材に対する相対変位が抑制された第２状態と、を形成可能とされ、
前記第２状態は、前記変位部材が所定の位置まで変位されることで形成されることを特徴とする遊技機。
【請求項２】
基板ボックスを備えることを特徴とする請求項１記載の遊技機。
【手続補正２】
【補正対象書類名】明細書
【補正対象項目名】０００７
【補正方法】変更
【補正の内容】
【０００７】
この目的を達成するために請求項１記載の遊技機は、所定間隔を隔てて配設される一側部材および他側部材と、それら一側部材および他側部材の間に架設され前記一側部材および他側部材に一端側および他端側がそれぞれ案内されて変位される変位部材と、その変位部材に駆動力を付与する駆動手段と、を備えたものであり、前記変位部材は、前記一端側および他端側の間の少なくとも１か所で分割される複数の分割体と、それら複数の分割体のうちの１の分割体に配設され、前記１の分割体に対して相対変位可能に形成される第２変位部材と、前記複数の分割体同士を相対変位可能に連結する連結機構と、を備え、前記複数の分割体同士が相対変位可能な第１状態と、前記１の分割体の前記一側部材または他側部材に対する相対変位が抑制された第２状態と、を形成可能とされ、前記第２状態は、前記変位部材が所定の位置まで変位されることで形成される。
【手続補正３】
【補正対象書類名】明細書
【補正対象項目名】０３２２
【補正方法】変更
【補正の内容】
【０３２２】
図４７及び図４８に示すように、第７実施形態における上下スライドユニット７３００には、一側部材３２０Ｌ及び他側部材３２０Ｒの正面ベース３３３の正面に規制機構７６４０ＬＵ〜７６４０ＲＤが配設される。規制機構７６４０ＬＵ〜７６４０ＲＤは、変位部材３１０が上昇位置または下降位置に配置された際に、可動機構（本体部３１１に対して端側部３１４を相対変位可能とする構造）を固定して、本体部３１１と端側部３１４との相対変位を規制するための構造であり、上昇位置に配置された変位部材３１０の長手方向一側及び他側に規制機構７６４０ＬＵ，７６４０ＲＵが配設されると共に、下降位置に配置された変位部材３１０の長手方向一側および他側に規制機構７６４０ＬＤ，７６４０ＲＤが配設される。
【手続補正４】
【補正対象書類名】明細書
【補正対象項目名】０３４０
【補正方法】変更
【補正の内容】
【０３４０】
図４９及び図５０に示すように、第８実施形態における上下スライドユニット８３００には、一側部材３２０Ｌ及び他側部材３２０Ｒの中間ベース３３２の正面に規制機構８６４０ＬＵ〜８６４０ＲＤが配設される。規制機構８６４０ＬＵ〜８６４０ＲＤは、変位部材３１０が上昇位置または下降位置に配置された際に、可動機構（本体部３１１に対して端側部３１４を相対変位可能とする構造）を固定して、本体部３１１と端側部３１４との相対変位を規制するための構造であり、上昇位置に配置された変位部材３１０の長手方向一側及び他側に規制機構８６４０ＬＵ，８６４０ＲＵが配設されると共に、下降位置に配置された変位部材３１０の長手方向一側および他側に規制機構８６４０ＬＤ，８６４０ＲＤが配設される。
【手続補正５】
【補正対象書類名】明細書
【補正対象項目名】０７８０
【補正方法】変更
【補正の内容】
【０７８０】
１０              パチンコ機（遊技機）
１０１〜１０４ 基板ボックス
２１０            背面ケース（ベース部材）
３１０，２３１０，３３１０，４３１０，５３１０，６３１０  変位部材
３１１ 本体部（１の分割体）
３１１ａ          突設ピン（被案内部、連結機構の一部）
３１１ｂ          ストッパ面（規制手段の一部、変位規制手段の一部）
３１２            回転ベース
３１３            回転体（第２変位部材）
３１４ 端側部（他の分割体）
３１４ａ          長穴（案内溝、連結機構の一部）
３１４ｂ          ストッパ面（規制手段の一部、変位規制手段の一部）
３１４ｃ          スライダ保持部（連結部分の一部）
３１５ｃ          スライダ保持部（連結部分の一部）
３１５            第１ラック（ラック）
３２０Ｌ          一側部材
３２０Ｒ，１０３２０Ｒ，１３３２０Ｒ  他側部材
３３１，１０３３１，１５３３１，１６３３１  背面ベース（対向部材、ベース部材、カバー部材）
３３１ｂ          ラック軸（案内手段の一部、直動規制手段の一部、突設部、第２係合部）
３３１ｃ          第１開口（開口部）
３３１ｄ          第２開口（開口部）
３３２，１０３３２  中間ベース（ベース部材、カバー部材）
３４１            駆動モータ（駆動手段）
３５１            第１ピニオン（ピニオン）
３６３            クランク歯車（クランク機構の一部、回転体）
３６３ａ          偏心ピン
３６４            第２ラック（ラック、対象部材）
３６４ａ          案内溝（案内手段の一部、被案内部）
３６４ｂ          ラック軸（クランク機構の一部、案内溝）
３６５ａ          第２ピニオン（ピニオン）
３６６，１１３６６  付勢ばね（付勢手段）
３６７            ローラー（回転当接部材、当接部材）
３６７ｂ          フランジ部（止板部材）
３７０            介設部材（連接部材）
４２０            背面ベース（ベース部材、カバー部材）
４２２ａ          上ラック軸（連結部、突設部）
４２２ｂ          下ラック軸（連結部、突設部）
４３１            駆動モータ（駆動手段）
４３３            ラック
４３３ｃ          上案内溝（開口部、被案内部）
４３３ｄ          下案内溝（開口部、被案内部）
４３５            上アーム体（アーム体）
４３６            下アーム体（アーム体）
４４０Ｒ１，４４０Ｒ２  円環分割体（規制手段の一部、第３変位部材、演出部材）
４４０Ｌ１，４４０Ｌ２  円環分割体（規制手段の一部、第３変位部材、演出部材）
４５０            姿勢規定部材（規定手段の一部、スライド体）
４６０            スライド機構（ベース部材の一部）
４６２            案内棒（案内軸）
４８０            カバー体（カバー部材、ベース部材）
４９１            位置決め凸部
４９１ａ          係合凹部（係合部または被係合部）
４９２            位置決め凹部
４９２ａ          係合凸部（被係合部または係合部）
２６１０          ボールジョイント（連結機構の一部）
２６２０          付勢ばね（弾性体、連結機構の一部）
３６３０，５６３０  ゴム状弾性体（弾性体、連結機構の一部）
７３１１ｅ        ローラー受け部（規制手段の一部、変位規制手段の一部）
７６４０ＲＵ，７６４０ＲＤ，７６４０ＬＵ，７６４０ＬＤ 規制機構（規制手段）
７６４１          アーム体（規制手段の一部、変位規制手段の一部）
８６４０ＲＵ，８６４０ＲＤ，８６４０ＬＵ，８６４０ＬＤ 規制機構（規制手段）
８６４１          基部（規制手段の一部、変位規制手段の一部）
８６４２          挿通部（規制手段の一部、変位規制手段の一部）
９６５２ａ〜９６５２ｅ  磁石（付勢手段の一部）
９６５１          金属棒（付勢手段の一部）
１０３３１ｅ      スリット部（案内手段）
１０３６７        ローラー（回転当接部、変位当接部材、当接部材）
１０３６７ｂ      第１フランジ部（止板部材）
１０３６７ｃ      第２フランジ部（止板部材）
１１６６１        ローラー（変位当接部材、当接部材）
１３６７１        伸縮アクチュエータ（当接部材駆動手段）
１５３３１ｇ      第１規制部（案内手段の一部）
１５３３１ｈ      第２規制部（案内手段の一部）
１６６８１        凹部（直動規制手段の一部、第１係合部）
１７４９３ａ      窪み部（係合部または被係合部）
１７４９５        ボールプランジャ機構
１７４９５ａ      ボール部（被係合部または係合部）
１８４５３        保持部（規制手段の一部、変位規制手段の一部）
１９９１          磁石（規制手段の一部、変位規制手段の一部）
１９９２          金属板（規制手段の一部、変位規制手段の一部）
Ｐ                案内棒（棒状体）
Ｓ                スライダ（連結部分の一部）